(57)【要約】【課題】  この発明は、食品包装等に用いられるラップフィルムの収納ケースからフィルムを引き出して切るときに、皺やフィルム同士の貼りつきが起こらない状態で切り取ることが出来るようにする課題を解決した、ラップフィルムの収納ケースを提供する。【解決手段】  ロール状に巻かれたラップフィルムが収納されるケース本体（１）であって、その開口部（２）を覆う蓋体（３）に設けた切断部材（５）と重なる位置の側板（６）に、使用するときに切ることが出来る切り線、溝、窓孔、これらの組み合わせによる後切り線や土手状に突出させることによって形成した段差部分（８）を、ラップフィルムの収納ケースに設けたことにある。【選択図】          図１
2005206169.tif 000002
【特許請求の範囲】
【請求項１】
ロール状に巻かれたラップフィルムが収納されるケース本体（１）の開口部（２）を覆う蓋体（３）とフィルム（４）の切断部材（５）とが接合されている収納ケースにおいて、フィルム（４）を切断するときの切断部材（５）がフィルム（４）をケース本体（１）の側板（６）に押えた切断部材（５）の刃先（７）と重なる位置に、切り線、窓孔それに土手状の突出などによる段差部分（８）を設けたことを特徴とするラップフィルムの収納ケース。
【発明の詳細な説明】
【技術分野】
【０００１】
この発明は、食品包装等に用いられるラップフィルムの収納ケースからフィルムを引き出して切るときに、皺やフィルム同士の貼りつきが起こらない状態で切り取ることが出来るラップフィルムの収納ケースに関する。
【背景技術】
【０００２】
従来、収納ケースからフィルムを引き出して切るときの切断部材の刃先は、フィルムの幅に対して平行となる状態のもので、ケース本体の底辺に対して平行状態としているものであった。
【０００３】
また、切断部材の刃先がフィルムの幅に対して平行とせずに傾斜となる状態のもので、ケース本体の底辺に対して傾斜状態とした特許文献１のごときものもあった。
【特許文献１】実開昭６３−１６６９２１号公報
【発明の開示】
【発明が解決しようとする課題】
【０００４】
従来の切断部材の刃先がフィルムの幅に対して平行となる状態のものにおいては、収納ケースと引き出すフィルムとをお互いに捻りながら切断部材を収納ケースの側板に押し当てて切断部材の端から切断するもので、取り扱い難い点とフィルムの端から切れたその端が垂れ下がって揺れ動く点とがあることで、フィルムが切り離れるときに、垂れ下がっていた部分がフィルム同士で貼りついたり皺になったりする欠点があった。
【０００５】
また、実開昭６３−１６６９２１号公報の特許文献１では、収納ケースと引き出すフィルムとをお互いに捻りながらの切断による取り扱い難さが改善されたが、フィルムの端から切れてその端が垂れ下がって揺れ動くもので、垂れ下がった部分のフィルム同士が貼りついたり皺になったりする心配が残る欠点があった。
【課題を解決するための手段】
【０００６】
本発明は、ロール状に巻かれたラップフィルムが収納されるケース本体（１）に、その開口部（２）を覆う蓋体（３）とフィルム（４）の切断部材（５）とが接合されている収納ケースに関したものである。
【０００７】
そして、本発明は、このケース本体（１）から引き出したフィルム（４）を切断するときの切断部材（５）がフィルム（４）を押し当てるケース本体（１）の側板（６）に、その切断部材（５）の刃先（７）と重なる位置に切り線、窓孔や土手状の突出によって形成される段差部分（８）を設けてラップフィルムの収納ケースを形成したものである。
【０００８】
この刃先（７）と重なる段差部分（８）は、側板（６）の両端部分であっても良いが中央部分のものの方がより良いもので、ケース本体（１）からフィルム（４）を真横に引き出して切断するときには中央部分の段差部分（８）からフィルム（４）が切断され、そのフィルム（４）の両端が最後に切り離されるものとなるもので、フィルム（４）の端からの垂れ下がり部分が発生することは無く、フィルム（４）が広がったままの状態で切断され、皺やフィルム（４）同士による貼り付きが起こらないものとなる。
【０００９】
フィルム（４）が刃先（７）と重なる切り線等の段差部分（８）から切れ始めることは、ケース本体（１）の蓋体（３）に設けてある切断部材（５）の上から段差部分（８）を押すと開口部（２）側となる切り線部分の側板（６）が下に押し下げられてケース本体（１）の側板（６）に段差が出来ることによるもので、従来の段差のない平らな側板（６）に平らな切断部材（５）を押し当てた場合での側板（６）に段差が出来ない状態で刃先（７）全体に力が分散するものとは異なる状態になるものである。
【００１０】
この側板（６）の段差は、切断部材（５）の上から押されたフィルム（４）を側板（６）の面より下に押し下げられた段差状態にするものであって、フィルム（４）を引っ張って切る力が押し下げられた段差部分の刃先（７）とそこのフィルム（４）との狭い部分に集まることになり、他の部分より早く切れることに成るものである。
【発明の効果】
【００１１】
本発明の段差部分（８）を設けたケース本体（１）によるフィルム（４）の切断は、フィルム（４）を水平方向に引き出して切ることが出来るもので、ケース本体（１）を下に回すようにして刃先（７）が外側を向くようにすると、切れ具合が良いものである。
【００１２】
また、フィルム（４）の中央部分から切れ始まり、フィルム（４）の端が最後に切れることでフィルム（４）の端の垂れ下がりが起こらないものなので、切り取ったフィルム（４）に皺やフィルム（４）同士の貼り付きを起こらなくする効果がある。
【００１３】
したがって、トレイなどの被包装物の真上でフィルム（４）の切断を行えば、切り取ったフィルム（４）に皺やフィルム（４）同士の貼り付きが起こらずに、被せることが容易になるものである。
【００１４】
段差部分（８）の切り線を幅のある溝状にしたものや窓孔（９）と組み合わせたものはフィルム（４）を切断した後の切れ端が浮いた状態となるので摘み易くなる効果があり、切り線の位置に切り線としない土手状の突出した段差部分（８）とすることも出来る。
【発明を実施するための最良の形態】
【００１５】
以下、実施例を図面に基づいて説明する。
【実施例１】
【００１６】
本発明に係わる実施例の一つとしては、図１に示すように、ケース本体（１）の蓋体（３）に設けてある切断部材（５）の刃先（７）と重なる側板（６）の中央部分にミシン目による段差部分（８）を、押える親指の幅より広い長さに設けたものとしている。
【００１７】
このミシン目にしたことは、使用するときにミシン目を切って切り線状とした後切り線状態の段差部分（８）にするもので、輸送中の押し潰れを考慮したものであって、最初から切り線状態とすることも考えられるものである。
【実施例２】
【００１８】
また、図２に示すものは、特許文献１に示されたケース本体（１）の傾斜した切断部材（５）の刃先（７）と重なる側板（６）の中央部分に、ミシン目による後切り線状態の段差部分（８）を設けたものとしているもので、その長さを指四本分としている第二の実施例を示すものである。
【００１９】
、傾斜した切断部材（５）のケース本体（１）からのフィルム（４）を引き出して切るときには、ケース本体（１）の長さと平行に引き出した後には刃先（７）と平行になるように傾け、左右に引張ることで切ることが出来るものである。
【実施例３】
【００２０】
図３に示される第三の実施例では、段差部分（８）を線状ではない幅のある溝状として形成しているもので、親指で切断部材（５）の上からフィルム（４）を押えると切り線の段差部分（８）のものより親指が深く落ち込んで段差を大きくすることが出来るものとしている。
【００２１】
したがって、切断部材（５）の刃先（７）がフィルム（４）に刺さり易くなり、切断することが容易になり、フィルム（４）の切り残った端が幅のある段差部分（８）の上に浮いた状態になるので、フィルム（４）の切り残った端を摘み易くなるもので、この段差部分（８）をミシン目等の後切り線によって形成することも出来るものである。
【実施例４】
【００２２】
図４に示される第四の実施例では、親指で押える段差部分（８）に窓孔（９）を組み合わせたものとして段差部分（８）を形成しているものであって、親指で押える段差部分（８）の段差が大きくなるものでフィルム（４）の切れ味が良く、フィルム（４）の切り残った端が窓孔（９）の上に浮いて摘み易いものにもなるものである。
【００２３】
この段差部分（８）をミシン目等の後切り線によって使用するときに切り線状態とすることが出来るもので、本発明に係わる段差部分（８）は直線や波線、それに窓孔（９）との組み合わせ等と段差部分（８）を様々に形成することが出来るものとしている。
【実施例５】
【００２４】
図６に示される第五の実施例では、切り線や切り線と窓孔との組み合わせによって段差部分（８）とした位置となる側板（６）に、切ることをせずに裏側からの押し出しや表側からの貼り付けによって、土手状に突出した段差部分（８）を形成しているもので、この段差部分（８）の開口部（２）側を親指で押えることで、刃先（７）の力が段差部分（８）に集中して中央部分からフィルム（４）が切れ始まることになり、切り線によるものと同じように皺やフィルム（４）同士の貼りつきが起き無いものとなる。
【図面の簡単な説明】
【００２５】
【図１】図１は、この発明の第一の実施例を示す斜視図である。
【図２】図２は、傾斜した切断部材による第二の実施例を示す斜視図である。
【図３】図３は、溝状とした段差部分による第三の実施例を示す斜視図である。
【図４】図４は、段差部分と窓孔とを組んだ第四の実施例を示す斜視図である。
【図５】図５は、フィルムを引き出して切断する状態を示す斜視図である。
【図６】図６は、突出した段差部分による第五の実施例を示す斜視図である。
【符号の説明】
【００２６】
１  ケース本体
２  開口部
３  蓋体
４  フィルム
５  切断部材
６  側板
７  刃先
８  段差部分
９  窓孔
【図１】
2005206169.tif 000003
【図２】
2005206169.tif 000004
【図３】
2005206169.tif 000005
【図４】
2005206169.tif 000006
【図５】
2005206169.tif 000007
【図６】
2005206169.tif 000008